【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
一の移動体内に存在する２以上の各端末から端末を識別する端末識別子を有する端末情報を受信する第一受信部と、
前記第一受信部が受信した２以上の前記端末情報を用いて、前記一の移動体内に存在する２以上の各端末を識別する端末識別子を有する情報であり、一のグループに関するグループ情報を構成する構成部と、
端末識別子とメッセージとを有するメッセージ情報を端末から受信する第二受信部と、
前記第二受信部が受信した端末識別子と対になる端末識別子を、前記グループ情報から取得する識別子取得部と、
前記識別子取得部が取得した端末識別子で識別される各端末に、前記第二受信部が受信したメッセージ情報に含まれるメッセージを送信する送信部とを具備する情報処理装置。
【請求項２】
前記端末情報は、端末の位置を示す端末位置情報をさらに有し、
前記構成部は、前記第一受信部が受信した２以上の各端末情報が有する端末位置情報が予め決められた条件を満たす程互いに近接した位置を示す場合に、当該２以上の端末情報が有する２以上の端末識別子と、前記一のグループを識別するグループ識別子との対を含むグループ情報を構成する請求項１記載の情報処理装置。
【請求項３】
２以上の各端末の移動速度を取得する速度取得部をさらに具備し、
前記構成部は、前記第一受信部が受信した２以上の各端末情報が有する端末位置情報および前記速度取得部が取得した移動速度が前記予め決められた条件を満たす程互いに近接した位置および移動速度を示す場合に、前記グループ情報を構成する請求項２記載の情報処理装置。
【請求項４】
前記一の移動体から移動体を識別する移動体識別子と移動体の位置を示す移動体位置情報とを有する移動体情報を受信する第三受信部をさらに具備し、
前記構成部は、前記第一受信部が受信した２以上の各端末情報が有する端末位置情報が、前記第三受信部が受信した移動体情報が有する移動体位置情報に対して前記予め決められた条件を満たす程近接した位置を示す場合に、当該２以上の端末情報が有する２以上の端末識別子と、当該移動体情報が有する移動体識別子と、前記一のグループを識別するグループ識別子との対を含むグループ情報を構成する請求項２記載の情報処理装置。
【請求項５】
前記端末情報は、移動体を識別する識別子であり、端末が移動体から受信した識別子である移動体識別子をさらに有し、
前記構成部は、前記第一受信部が受信した２以上の各端末情報が有する移動体識別子が同一である場合に、当該２以上の端末情報が有する２以上の端末識別子と、当該同一の移動体識別子と、前記一のグループを識別するグループ識別子との対を含むグループ情報を構成する請求項１記載の情報処理装置。
【請求項６】
端末が移動体から離れたことを検知する検知部と、
前記検知部が検知した端末の端末識別子を前記グループ情報から削除する削除部とをさらに具備する請求項１から請求項５いずれか一項に記載の情報処理装置。
【請求項７】
前記構成部が構成したグループ情報を用いて、前記一のグループまたは前記一の移動体に関連する関連情報を取得する関連情報取得部をさらに具備し、
前記送信部は、前記関連情報を、前記グループ情報が有する２以上の端末識別子で識別される２以上の端末に送信する請求項１から請求項６いずれか一項に記載の情報処理装置。
【請求項８】
第一受信部、構成部、第二受信部、識別子取得部および送信部によって行われる情報処理方法であって、
前記第一受信部が、一の移動体内に存在する２以上の各端末から端末を識別する端末識別子を有する端末情報を受信する第一受信ステップと、
前記構成部が、前記第一受信部が受信した２以上の端末情報を用いて、前記一の移動体内に存在する２以上の各端末を識別する端末識別子を有する情報であり、一のグループに関するグループ情報を構成する構成ステップと、
前記第二受信部が、端末識別子とメッセージとを有するメッセージ情報を端末から受信する第二受信ステップと、
前記識別子取得部が、前記第二受信部が受信した端末識別子と対になる端末識別子を、前記グループ情報から取得する識別子取得ステップと、
前記送信部が、前記識別子取得部が取得した端末識別子で識別される各端末に、前記第二受信部が受信したメッセージ情報に含まれるメッセージを送信する送信ステップとを含む情報処理方法。
【請求項９】
コンピュータを、
一の移動体内に存在する２以上の各端末から端末を識別する端末識別子を有する端末情報を受信する第一受信部と、
前記第一受信部が受信した２以上の端末情報を用いて、前記一の移動体内に存在する２以上の各端末を識別する端末識別子を有する情報であり、一のグループに関するグループ情報を構成する構成部と、
端末識別子とメッセージとを有するメッセージ情報を端末から受信する第二受信部と、
前記第二受信部が受信した端末識別子と対になる端末識別子を、前記グループ情報から取得する識別子取得部と、
前記識別子取得部が取得した端末識別子で識別される各端末に、前記第二受信部が受信したメッセージ情報に含まれるメッセージを送信する送信部として機能させるためのプログラム。
【手続補正２】
【補正対象書類名】明細書
【補正対象項目名】０００２
【補正方法】変更
【補正の内容】
【０００２】
従来の情報処理装置において、例えば、友人を登録する操作を受け付け、さらに、登録してある友人の中からグループに加えるメンバーを選択する操作を受け付けることで、２以上の端末間で通信可能なグループを構成し、当該グループ内でメッセージの送受信（例えばチャット、グループトーク等）を行うものがある（例えば、非特許文献１，２参照）。
【手続補正３】
【補正対象書類名】明細書
【補正対象項目名】０１４６
【補正方法】変更
【補正の内容】
【０１４６】
構成部１２１は、移動体対応情報を参照して、３つの端末ＩＤ“ａ”，“ｂ”および“ｃ”に対応する３つの移動体ＩＤがいずれも“Ａ”であるため、端末２ａ〜２ｃは一の移動体３Ａ内に存在すると判断して、例えば図７に示されるようなグループ情報を構成する。このグループ情報は、例えば、グループＩＤ“１”に対応付けて、第一格納部１３１から取得した端末ＩＤ“ａ”，“ｂ”および“ｃ”と、同じく第一格納部１３１から取得した移動体ＩＤ“Ａ”とを、第三格納部１３３に蓄積することにより構成される。
【手続補正４】
【補正対象書類名】明細書
【補正対象項目名】０１８０
【補正方法】変更
【補正の内容】
【０１８０】
図９は、上記プログラムを実行して、上記実施の形態による情報処理装置１を実現するコンピュータシステム９００の一例を示す図である。図９において、コンピュータシステム９００は、ＣＤ−ＲＯＭドライブ９０５と、ＭＰＵ９１１と、ＲＯＭ９１２と、ＲＡＭ９１３と、ハードディスク９１４と、バス９１５とを備える。ＣＤ−ＲＯＭドライブ９０５には、ＣＤ−ＲＯＭ９２１が装着される。なお、コンピュータ９０１は、ＬＡＮやＷＡＮ等への接続を提供する図示しないネットワークカードを含んでいてもよい。図９に示した各構成要素は、公知であるので、説明を省略する。この実施の形態では、ＭＰＵ９１１、ＲＯＭ９１２、ＲＡＭ９１３、ハードディスク９１４、バス９１５およびＣＤ−ＲＯＭドライブ９０５を「コンピュータ９０１」と呼ぶ場合がある。ただし、これに限らず、例えば、ＭＰＵ９１１およびメモリ（ＲＯＭ９１２，ＲＡＭ９１３）をコンピュータと呼んでもよいし、ＭＰＵ９１１をコンピュータと呼んでも構わない。コンピュータシステム９００は、例えばモバイルＰＣであるが、スマートフォンやタブレットでもよく、種類は問わない。スマートフォンやタブレットの場合、キーボード９０２は、例えばタッチパネルに置き換えられ、ハードディスクは、例えばフラッシュメモリに置き換えられ、ＣＤ−ＲＯＭドライブ９０５およびＣＤ−ＲＯＭ９２１は、例えばメモリカードスロットおよびメモリカードに置き換えられる。ここで挙げた各構成要素も、公知であるので、説明を省略する。なお、上で挙げたハードウェア構成は例示に過ぎず、本発明を何ら限定するものではないことは言うまでもない。
【手続補正５】
【補正対象書類名】明細書
【補正対象項目名】０１８６
【補正方法】変更
【補正の内容】
【０１８６】
１  情報処理装置
２，２ａ，２ｂ，２ｃ，２ｄ，２ｅ  端末
３，３Ａ，３Ｂ  移動体
１１  受信部
１２  処理部
１４  送信部
１１１  第一受信部
１１２  第二受信部
１１３  第三受信部
１２１  構成部
１２２  識別子取得部
１２３  関連情報取得部
１２４  検知部
１２５  削除部
１２６  速度取得部